(57)【要約】【課題】本発明は蚊取りランプを開示した。【解決手段】本体と、前記本体の中に位置している切換チャンバと、前記本体の中に設置された蚊取りチャンバとを含み、前記蚊取りチャンバの端壁には前記蚊取りチャンバに連通している漏斗が中心対称的に固定的に取り付けられ、前記蚊取りチャンバの頂壁の中には蚊誘引チャンバが設置され、前記蚊誘引チャンバの四つの側の端壁の中には外部空間に連通している抜き穴が設置され、前記蚊誘引チャンバの頂壁の中には紫外線蛍光灯が設置され、本発明の設備は蛍光灯を利用して蚊を誘引し、同時にホルモンと作動し合って蚊を誘引し、設備の蚊取り効率を大いに高め、同時に設備の中にはホルモンを定期的に一定量で補給できる装置が設置され、設備の作動を維持できることを保証でき、また設備の中には収納装置が設置され、捉えられた蚊を整理することに便利を与え、実用性がある。【選択図】図１
2020182432.tif 000002
【特許請求の範囲】
【請求項１】
正面視で、本体と、前記本体の中に位置している切換チャンバと、前記本体の中に設置された蚊取りチャンバとを含み、前記蚊取りチャンバの端壁には前記蚊取りチャンバに連通している漏斗が中心対称的に固定的に取り付けられ、前記蚊取りチャンバの頂壁の中には蚊誘引チャンバが設置され、前記蚊誘引チャンバの四つの側の端壁の中には外部空間に連通している抜き穴が設置され、前記蚊誘引チャンバの頂壁の中には紫外線蛍光灯が設置され、前記蚊取りチャンバと蚊誘引チャンバとの間にはファンチャンバが連通するように設置され、前記切換チャンバと前記ファンチャンバとの間には第一回転軸が回転できるように設置され、前記ファンチャンバの中の前記第一回転軸の末端にはファンが固定的に設置され、前記切換チャンバの中の前記第一回転軸の末端には第一スプラインスリーブが固定的に設置され、前記蚊取りチャンバの中の前記第一回転軸の外表面には電極フレームが固定的に設置され、前記電極フレームの中には複数組の放電極線が設置され、前記蚊取りチャンバの端壁の中には複数組の通気穴が中心対称的に設置され、前記通気穴の中には止め網が固定的に設置され、前記切換チャンバの端壁の中にはスライドチャンバが設置され、前記スライドチャンバの中にはスライドブロックがスライドできるように設置され、前記スライドブロックと前記スライドチャンバの端壁との間には第一復帰装置が弾性を持つように設置され、前記スライドブロックの中には第一モーターが固定的に設置され、前記第一モーターの出力軸の頂部には第一スプライン軸が固定的に設置され、前記第一モーターの出力軸の底部末端には第二スプライン軸が固定的に設置され、前記スライドチャンバの底壁の中には左右対称のカムチャンバが設置され、前記カムチャンバの外側端壁の中には伝動チャンバが設置され、前記伝動チャンバと前記カムチャンバとの間には第二回転軸が回転できるように設置され、前記伝動チャンバの中の前記第二回転軸の末端には第一ベベルギヤが固定的に設置され、前記カムチャンバの中の前記第二回転軸の右側末端が前記カムチャンバの端壁の中に固定的に設置された第二モーターと動力が伝達できるように連結され、前記カムチャンバの中の前記第二回転軸の外表面にはカムが固定的に設置され、前記伝動チャンバと前記伝動チャンバの頂壁の中には蚊を誘引できる蚊誘引装置が設置され、前記主体の底部には蚊を収納できる収納装置が設置され、前記設備が前記蚊誘引装置と収納装置とを協働すれば、効果的に蚊を取ることができることを特徴とする蚊取りランプ。
【請求項２】
前記蚊誘引装置は前記伝動チャンバの頂壁の中に設置されたピストンチャンバを含み、前記ピストンチャンバの中にはピストンがスライドできるように設置され、前記伝動チャンバの中にはねじスリーブが回転できるように設置され、前記ねじスリーブの外表面には前記第一ベベルギヤと噛み合っている第二ベベルギヤが固定的に設置され、前記ねじスリーブの頂壁の中には上方に開口したねじ穴が設置され、前記ねじ穴の中には前記ピストンと固定的に連結されたねじロッドがねじ山によって連結され、前記ピストンチャンバの頂壁の中には環状チャンバが設置され、前記環状チャンバと前記ピストンチャンバとの間には液体排出穴が連通するように設置され、前記液体排出穴の開口したところには逆止弁が設置され、前記ねじロッドが上方へ移動して前記ピストンを推し動かし、この時に前記ピストンが前記ピストンチャンバの中に置かれている蚊を誘引するホルモンを前記環状チャンバの中に搾り出し、それによって蚊を誘引する作用を実現することを特徴とする請求項１に記載の蚊取りランプ。
【請求項３】
前記収納装置は前記主体の底壁の中に位置している収納チャンバを含み、前記収納チャンバと前記蚊取りチャンバとの間には前後対称の蚊落とし溝が連通するように設置され、前記収納チャンバの中には収納ケースがスライドできるように設置され、前記収納ケースの中には収納溝が設置され、前記カムチャンバと前記収納チャンバとの間には第一スライド穴が連通するように設置され、前記第一スライド穴の中には第一スライドロッドがスライドできるように設置され、前記第一スライドロッドの底壁には第一磁石が固定的に設置され、前記第一スライドロッドと前記第一スライド穴の端壁との間には第二復帰装置が弾性を持つように設置され、前記収納チャンバの端壁の中には凹溝が設置され、前記収納溝の内側壁の中には第二スライド穴が設置され、前記第二スライド穴の中には第二スライドロッドがスライドできるように設置され、前記第二スライドロッドのうち前記凹溝から離れている側には第二磁石が固定的に設置され、前記第二スライドロッドと前記第二スライド穴の端壁との間には第三復帰装置が弾性を持つように設置され、前記収納ケースの頂壁の中には上方に開口したスプライン穴が設置され、前記スプライン穴の中には下方へ伸びている第三スプライン軸がスプラインによって連結され、前記第三スプライン軸の頂部末端が前記切換チャンバの中に伸びており、また前記第三スプライン軸の頂部末端には第二スプラインスリーブが固定的に設置され、前記第一磁石が前記第二磁石を吸引し、それによって前記第二スライドロッドを前記凹溝から引き出し、それによって前記収納ケースの取り外しに便利を与えることを特徴とする請求項１に記載の蚊取りランプ。
【発明の詳細な説明】
【技術分野】
【０００１】
本発明は照明器具分野に関わり、具体的には蚊取りランプである。
【背景技術】
【０００２】
夏になると、人々は蚊に刺されることに苦しんでいるが、打つ手がなく、伝統的な蚊取り装置は効率が低くて蚊取りの効果が良くなく、そして、伝統的な蚊取り装置は操作が不便なので、普及できなく、したがって上記の問題を解決するため、蚊取りランプの発明は必要となる。
【先行技術文献】
【特許文献】
【０００３】
【特許文献１】中国特許出願公開第１０９４９７００９号明細書
【発明の概要】
【発明が解決しようとする課題】
【０００４】
本発明は蚊取りランプを提供し、既存技術にある上記の欠点を解消し、設備の実用性を高めることを目的とする。
【課題を解決するための手段】
【０００５】
本発明の蚊取りランプは、本体と、前記本体の中に位置している切換チャンバと、前記本体の中に設置された蚊取りチャンバとを含み、前記蚊取りチャンバの端壁には前記蚊取りチャンバに連通している漏斗が中心対称的に固定的に取り付けられ、前記蚊取りチャンバの頂壁の中には蚊誘引チャンバが設置され、前記蚊誘引チャンバの四つの側の端壁の中には外部空間に連通している抜き穴が設置され、前記蚊誘引チャンバの頂壁の中には紫外線蛍光灯が設置され、前記蚊取りチャンバと蚊誘引チャンバとの間にはファンチャンバが連通するように設置され、前記切換チャンバと前記ファンチャンバとの間には第一回転軸が回転できるように設置され、前記ファンチャンバの中の前記第一回転軸の末端にはファンが固定的に設置され、前記切換チャンバの中の前記第一回転軸の末端には第一スプラインスリーブが固定的に設置され、前記蚊取りチャンバの中の前記第一回転軸の外表面には電極フレームが固定的に設置され、前記電極フレームの中には複数組の放電極線が設置され、前記蚊取りチャンバの端壁の中には複数組の通気穴が中心対称的に設置され、前記通気穴の中には止め網が固定的に設置され、前記切換チャンバの端壁の中にはスライドチャンバが設置され、前記スライドチャンバの中にはスライドブロックがスライドできるように設置され、前記スライドブロックと前記スライドチャンバの端壁との間には第一復帰装置が弾性を持つように設置され、前記スライドブロックの中には第一モーターが固定的に設置され、前記第一モーターの出力軸の頂部には第一スプライン軸が固定的に設置され、前記第一モーターの出力軸の底部末端には第二スプライン軸が固定的に設置され、前記スライドチャンバの底壁の中には左右対称のカムチャンバが設置され、前記カムチャンバの外側端壁の中には伝動チャンバが設置され、前記伝動チャンバと前記カムチャンバとの間には第二回転軸が回転できるように設置され、前記伝動チャンバの中の前記第二回転軸の末端には第一ベベルギヤが固定的に設置され、前記カムチャンバの中の前記第二回転軸の右側末端が前記カムチャンバの端壁の中に固定的に設置された第二モーターと動力が伝達できるように連結され、前記カムチャンバの中の前記第二回転軸の外表面にはカムが固定的に設置され、前記伝動チャンバと前記伝動チャンバの頂壁の中には蚊を誘引できる蚊誘引装置が設置され、前記主体の底部には蚊を収納できる収納装置が設置され、前記設備が前記蚊誘引装置と収納装置とを協働すれば、効果的に蚊を取ることができる。
【０００６】
好ましくは、前記蚊誘引装置は前記伝動チャンバの頂壁の中に設置されたピストンチャンバを含み、前記ピストンチャンバの中にはピストンがスライドできるように設置され、前記伝動チャンバの中にはねじスリーブが回転できるように設置され、前記ねじスリーブの外表面には前記第一ベベルギヤと噛み合っている第二ベベルギヤが固定的に設置され、前記ねじスリーブの頂壁の中には上方に開口したねじ穴が設置され、前記ねじ穴の中には前記ピストンと固定的に連結されたねじロッドがねじ山によって連結され、前記ピストンチャンバの頂壁の中には環状チャンバが設置され、前記環状チャンバと前記ピストンチャンバとの間には液体排出穴が連通するように設置され、前記液体排出穴の開口したところには逆止弁が設置され、前記ねじロッドが上方へ移動して前記ピストンを推し動かし、この時に前記ピストンが前記ピストンチャンバの中に置かれている蚊を誘引するホルモンを前記環状チャンバの中に搾り出し、それによって蚊を誘引する作用を実現する。
【０００７】
好ましくは、前記収納装置は前記主体の底壁の中に位置している収納チャンバを含み、前記収納チャンバと前記蚊取りチャンバとの間には前後対称の蚊落とし溝が連通するように設置され、前記収納チャンバの中には収納ケースがスライドできるように設置され、前記収納ケースの中には収納溝が設置され、前記カムチャンバと前記収納チャンバとの間には第一スライド穴が連通するように設置され、前記第一スライド穴の中には第一スライドロッドがスライドできるように設置され、前記第一スライドロッドの底壁には第一磁石が固定的に設置され、前記第一スライドロッドと前記第一スライド穴の端壁との間には第二復帰装置が弾性を持つように設置され、前記収納チャンバの端壁の中には凹溝が設置され、前記収納溝の内側壁の中には第二スライド穴が設置され、前記第二スライド穴の中には第二スライドロッドがスライドできるように設置され、前記第二スライドロッドのうち前記凹溝から離れている側には第二磁石が固定的に設置され、前記第二スライドロッドと前記第二スライド穴の端壁との間には第三復帰装置が弾性を持つように設置され、前記収納ケースの頂壁の中には上方に開口したスプライン穴が設置され、前記スプライン穴の中には下方へ伸びている第三スプライン軸がスプラインによって連結され、前記第三スプライン軸の頂部末端が前記切換チャンバの中に伸びており、また前記第三スプライン軸の頂部末端には第二スプラインスリーブが固定的に設置され、前記第一磁石が前記第二磁石を吸引し、それによって前記第二スライドロッドを前記凹溝から引き出し、それによって前記収納ケースの取り外しに便利を与える。
【発明の効果】
【０００８】
本発明の有益な効果は：本発明の設備は蛍光灯を利用して蚊を誘引し、同時にホルモンと作動し合って蚊を誘引し、設備の蚊取り効率を大いに高め、同時に設備の中にはホルモンを定期的に一定量で補給できる装置が設置され、設備の作動を維持できることを保証でき、また設備の中には収納装置が設置され、捉えられた蚊を整理することに便利を与え、実用性がある。
【図面の簡単な説明】
【０００９】
本発明の実施例又は既存技術の技術プランを詳しく説明するため、下記には実施例又は既存技術の説明に所要の付図を簡単に紹介し、明らかに下記の説明の付図はただ本発明の実施例であり、本分野の普通の技術員にとって、創造的な労働をしない場合、下記の付図から他の付図をもらえることができ、下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の蚊取りランプの全体構造略図
【図２】図２は図１の中のＡ―Ａの構造略図
【図３】図３は図１の中のＢの拡大構造略図
【図４】図４は図１の中のＣの拡大構造略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜４に示すように、本発明の蚊取りランプは、本体１０と、前記本体１０の中に位置している切換チャンバ２６と、前記本体１０の中に設置された蚊取りチャンバ２３とを含み、前記蚊取りチャンバ２３の端壁には前記蚊取りチャンバ２３に連通している漏斗１７が中心対称的に固定的に取り付けられ、前記蚊取りチャンバ２３の頂壁の中には蚊誘引チャンバ１９が設置され、前記蚊誘引チャンバ１９の四つの側の端壁の中には外部空間に連通している抜き穴２０が設置され、前記蚊誘引チャンバ１９の頂壁の中には紫外線蛍光灯１８が設置され、前記蚊取りチャンバ２３と蚊誘引チャンバ１９との間にはファンチャンバ２２が連通するように設置され、前記切換チャンバ２６と前記ファンチャンバ２２との間には第一回転軸１６が回転できるように設置され、前記ファンチャンバ２２の中の前記第一回転軸１６の末端にはファン２１が固定的に設置され、前記切換チャンバ２６の中の前記第一回転軸１６の末端には第一スプラインスリーブ２７が固定的に設置され、前記蚊取りチャンバ２３の中の前記第一回転軸１６の外表面には電極フレーム１５が固定的に設置され、前記電極フレーム１５の中には複数組の放電極線１４が設置され、前記蚊取りチャンバ２３の端壁の中には複数組の通気穴２５が中心対称的に設置され、前記通気穴２５の中には止め網２４が固定的に設置され、前記切換チャンバ２６の端壁の中にはスライドチャンバ１１が設置され、前記スライドチャンバ１１の中にはスライドブロック１２がスライドできるように設置され、前記スライドブロック１２と前記スライドチャンバ１１の端壁との間には第一復帰装置１３が弾性を持つように設置され、前記スライドブロック１２の中には第一モーター２９が固定的に設置され、前記第一モーター２９の出力軸の頂部には第一スプライン軸２８が固定的に設置され、前記第一モーター２９の出力軸の底部末端には第二スプライン軸３０が固定的に設置され、前記スライドチャンバ１１の底壁の中には左右対称のカムチャンバ５５が設置され、前記カムチャンバ５５の外側端壁の中には伝動チャンバ６０が設置され、前記伝動チャンバ６０と前記カムチャンバ５５との間には第二回転軸４０が回転できるように設置され、前記伝動チャンバ６０の中の前記第二回転軸４０の末端には第一ベベルギヤ３９が固定的に設置され、前記カムチャンバ５５の中の前記第二回転軸４０の右側末端が前記カムチャンバ５５の端壁の中に固定的に設置された第二モーター５６と動力が伝達できるように連結され、前記カムチャンバ５５の中の前記第二回転軸４０の外表面にはカム５７が固定的に設置され、前記伝動チャンバ６０と前記伝動チャンバ６０の頂壁の中には蚊を誘引できる蚊誘引装置２００が設置され、前記主体１０の底部には蚊を収納できる収納装置３００が設置され、前記設備が前記蚊誘引装置２００と収納装置３００とを協働すれば、効果的に蚊を取ることができる。
【００１３】
有益なように、前記蚊誘引装置２００は前記伝動チャンバ６０の頂壁の中に設置されたピストンチャンバ３５を含み、前記ピストンチャンバ３５の中にはピストン３６がスライドできるように設置され、前記伝動チャンバ６０の中にはねじスリーブ４２が回転できるように設置され、前記ねじスリーブ４２の外表面には前記第一ベベルギヤ３９と噛み合っている第二ベベルギヤ３７が固定的に設置され、前記ねじスリーブ４２の頂壁の中には上方に開口したねじ穴４１が設置され、前記ねじ穴４１の中には前記ピストン３６と固定的に連結されたねじロッド３８がねじ山によって連結され、前記ピストンチャンバ３５の頂壁の中には環状チャンバ３３が設置され、前記環状チャンバ３３と前記ピストンチャンバ３６との間には液体排出穴３４が連通するように設置され、前記液体排出穴３４の開口したところには逆止弁５９が設置され、前記ねじロッド３８が上方へ移動して前記ピストン３６を推し動かし、この時に前記ピストン３６が前記ピストンチャンバ３５の中に置かれている蚊を誘引するホルモンを前記環状チャンバ３３の中に搾り出し、それによって蚊を誘引する作用を実現する。
【００１４】
有益なように、前記収納装置３００は前記主体１０の底壁の中に位置している収納チャンバ３２を含み、前記収納チャンバ３２と前記蚊取りチャンバ２３との間には前後対称の蚊落とし溝５８が連通するように設置され、前記収納チャンバ３２の中には収納ケース６１がスライドできるように設置され、前記収納ケース６１の中には収納溝３１が設置され、前記カムチャンバ５５と前記収納チャンバ３２との間には第一スライド穴５２が連通するように設置され、前記第一スライド穴５２の中には第一スライドロッド５４がスライドできるように設置され、前記第一スライドロッド５４の底壁には第一磁石５１が固定的に設置され、前記第一スライドロッド５４と前記第一スライド穴５２の端壁との間には第二復帰装置５３が弾性を持つように設置され、前記収納チャンバ３２の端壁の中には凹溝５０が設置され、前記収納溝３１の内側壁の中には第二スライド穴４７が設置され、前記第二スライド穴４７の中には第二スライドロッド４６がスライドできるように設置され、前記第二スライドロッド４６のうち前記凹溝５０から離れている側には第二磁石４５が固定的に設置され、前記第二スライドロッド４６と前記第二スライド穴４７の端壁との間には第三復帰装置４８が弾性を持つように設置され、前記収納ケース６１の頂壁の中には上方に開口したスプライン穴４９が設置され、前記スプライン穴４９の中には下方へ伸びている第三スプライン軸４４がスプラインによって連結され、前記第三スプライン軸４４の頂部末端が前記切換チャンバ２６の中に伸びており、また前記第三スプライン軸４４の頂部末端には第二スプラインスリーブ４３が固定的に設置され、前記第一磁石５１が前記第二磁石４５を吸引し、それによって前記第二スライドロッド４６を前記凹溝５０から引き出し、それによって前記収納ケース６１の取り外しに便利を与える。
【００１５】
以下、出願人は付図１〜４及び上記本出願の蚊取りランプの具体的な構成を参考して本願の蚊取りランプの作動の流れを詳しく紹介する：
【００１６】
当該設備を使用する時、第二モーター５６が起動して回転して第一ベベルギヤ３９を一周回転連動させ、それによって第二ベベルギヤ３７とねじスリーブ４２とを回転連動させ、それによってねじロッド３８を上方へ移動連動させてピストン３６を推し動かし、この時にピストン３６がピストンチャンバ３５の中に置かれている蚊を誘引するホルモンを環状チャンバ３３の中に搾り出し、そして紫外線蛍光灯１８をつけ、同時に第一モーター２９が起動して回転して第一モーター２９の回転によって第一回転軸１６を回転連動させ、それによってファン２１を回転連動させ、ファン２１が回転して気流を連動させて抜き穴２０を経由して蚊取りチャンバ２３の中に入らせ、同時に蚊取りチャンバ２３の中の気流が通気穴２５を通して流れ出して環状チャンバ３３の中のホルモンを空気に吹き散らし、同時に蚊取りチャンバ２３の中の気流が流れて漏斗１７の中に外から内への気流を生成し、蚊がホルモン又は紫外線蛍光灯１８によって設備の周りに誘引された時、上記気流が蚊を蚊取りチャンバ２３の中に吸い込み、この時に蚊が放電極線１４と接触し、蚊が感電で死亡し、感電で死亡した蚊が蚊落とし溝５８を通して収納ケース６１の中に落ち、設備が一つの周期に作動した後、第二モーター５６が起動して回転して第一ベベルギヤ３９を半周回転連動させ、再びホルモンを補給し、同時に第二モーター５６がカム５７を半周回転連動させ、この時にスライドブロック１２が下方へ移動して第二スプライン軸３０を連動させてと第二スプラインスリーブ４３とスプラインによって結合し、同時にカム５７が下方へ第一スライドロッド５４を押し、それによって第一磁石５１を下方へ移動連動させ、第一磁石５１が第二磁石４５を吸引し、それによって第二スライドロッド４６を凹溝５０から引き出し、この時に第一モーター２９が起動して回転して収納ケース６１を半周回転連動させ、蚊が積み重なることを防止し、収納ケース６１が十分な蚊を収納した後に収納ケース６１を取り出してその中の蚊を捨てる。
【００１７】
以上の詳しい分析からわかっているのは：本発明の設備は蛍光灯を利用して蚊を誘引し、同時にホルモンと作動し合って蚊を誘引し、設備の蚊取り効率を大いに高め、同時に設備の中にはホルモンを定期的に一定量で補給できる装置が設置され、設備の作動を維持できることを保証でき、また設備の中には収納装置が設置され、捉えられた蚊を整理することに便利を与え、実用性がある。
【００１８】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020182432.tif 000003
【図２】
2020182432.tif 000004
【図３】
2020182432.tif 000005
【図４】
2020182432.tif 000006